(57)【要約】【課題】自宅で定期購入している商品を任意の店舗からリアルタイムに無料で購入することを可能にする。【解決手段】利用者は、自宅を留守する場合、定期購入の商品の配達変更指定日時と二次元バーコード交付の送信先を設定し、利用者システム２から配達先管理システム１の配達変更サーバー１４に二次元バーコード交付要求を送信する。配達先管理システム１の配達変更サーバ１４は、配達情報ＤＢ１２から配達情報を削除し、二次元バーコードを生成して利用者の携帯電話２１等二次元バーコード交付送信先に送信する。利用者は、外出先の任意の店舗３で二次元バーコードを提示すると、該店舗３の販売店舗システム４は二次元バーコード読み取り装置３３で二次元バーコードを読み込み、利用者ＩＤを取得してＩＰ網５経由し該ＩＤを確認し、該ＩＤを利用不可に変更し、削除管理ＤＢに該ＩＤを書き込む。【選択図】      図１
2004310590.tif 000002
【特許請求の範囲】
【請求項１】
ＩＰ網における二次元バーコードを利用した商品の定期購入システムであって、
配達事業者により設置、運営され、利用者に定期的に配達する商品の配達先を管理する配達先管理システムと、商品を定期的に購入する利用者が使用する利用者システムと、商品を販売する店舗のシステムである販売店舗システムを有し、
前記利用者システムは、利用者が自宅を留守にする場合に設定した、定期購入商品の配達が必要がない変更指定日時と二次元バーコード送信先を含む変更情報を前記配達先管理システムに送信する手段と、前記配達先管理システムから送信された二次元バーコードを取得する携帯型二次元バーコード取得装置を有し、
前記配達先管理システムは、前記利用者システムから送信されてきた前記変更情報から当該利用者の配達情報を配達情報ＤＢから削除し、削除した利用者ＩＤと１対１に対応する二次元バーコードを生成し、該二次元バーコードを前記二次元バーコード送信先に送信し、
前記販売店舗システムは、前記携帯型二次元バーコード取得装置に保持されている二次元バーコードを二次元バーコード読み取り装置で読み取り、利用者のＩＤを取得して確認し、前記配達先管理システムで管理されている該ＩＤを利用不可に変更する商品定期購入システム。
【請求項２】
前記配達先管理システムは、削除した配達情報を記録する削除情報ＤＢをさらに有し、前記利用者ＩＤを意味情報ネットワークのフィルタとして登録し、前記販売店舗システムは意味情報として利用者ＩＤを指定し、前記販売店舗システムは意味情報として利用者ＩＤを指定し、前記意味情報ネットワークにイベントを送信する請求項１に記載の商品定期購入システム。
【請求項３】
配達事業者により設置、運営され、利用者に定期的に配達する商品の配達先を管理する配達先管理システムと、商品を定期的に購入する利用者が使用する利用者システムと、商品を販売する店舗のシステムである販売店舗システムを有する、ＩＰ網における二次元バーコードを利用した商品の定期購入システムにおける、商品の定期購入方法であって、
利用者が、留守をする場合に設定した、定期購入商品の配達が必要ない変更指定日時と二次元バーコード送信先を含む二次元バーコード交付の要求を前記利用者システムから前記配達先管理システムの配達変更サーバに送信し、
該配達先管理システムの配達変更サーバは、配達情報ＤＢから該利用者の配達情報を削除し、削除した利用者ＩＤと１対１に対応する二次元バーコードを生成し、該二次元バーコードを前記二次元バーコード送信先に送信し、
利用者が任意の店舗で提示した二次元バーコードを前記販売店舗システムの二次元バーコード読み取り装置で読み込み、利用者のＩＤを取得して確認し、前記配達先管理システムで管理されている該利用者ＩＤを利用不可に変更する、商品の定期購入方法。
【請求項４】
配達事業者により設置、運営され、利用者に定期的に配達する商品の配達先を管理する配達先管理システムであって、
利用者の利用者ＩＤとパスワードと登録リストを格納している顧客情報ＤＢと、
配達する商品、日時、利用者の情報を格納している配達情報ＤＢと、
削除情報を記録する削除情報ＤＢと、
利用者から配達変更指定日情報と、二次元バーコードの送信先からなる変更情報が、該利用者の利用者ＩＤとパスワードとともに送信されてくると、前記顧客情報ＤＢの情報を元に利用者ＩＤとパスワードを確認し、前記配達情報ＤＢから、前記配達変更日指定情報で指定された日付の配達情報を削除し、削除した情報を前記削除情報ＤＢに記録する配達変更サーバと、
前記削除した情報に１対１に対応した二次元バーコードを生成する二次元バーコード生成手段と、
生成された二次元バーコードを、前記変更情報を送信した利用者の情報通信端末に送信する二次元バーコード送信手段を有する配達先管理システム。
【請求項５】
ＩＰ網に接続する手段と、
配達事業者により設置、運営され、利用者に定期的に配達する商品の配達先を管理する配達先管理システムにＩＰ網を介して接続し、定期購入商品の配達変更日時と二次元バーコード送信元を含む変更情報を送信して、二次元バーコードの送付を要求する手段を含む情報端末と、
前記配達先管理システムから送信された二次元バーコードをＩＰ網を介して受信し取得する携帯型二次元バーコード取得装置を有する利用者システム。
【請求項６】
利用者が提示した二次元バーコードを読み取り、利用者ＩＤを取得する二次元バーコード読み取り装置と、
配達事業者により設置、運営され、利用者に定期的に配達する商品の配達を管理する配達先管理システムの配達変更サーバにＩＰ網を介して接続して利用者ＩＤを確認して、前記配達変更サーバに登録されている該利用者ＩＤを利用不可に変更する手段を有する販売店舗システム。
【請求項７】
削除管理ＤＢと、前記利用者ＩＤを該削除管理ＤＢに保存する手段をさらに有する、請求項６に記載の販売店舗システム。
【発明の詳細な説明】
【０００１】
【発明の属する技術分野】
本発明はＩＰ（Ｉｎｔｅｒｎｅｔ  Ｐｒｏｔｏｃｏｌ）網における二次元バーコードを利用した商品の定期購入システムに関する。
【０００２】
【従来の技術】
最近、ＩＰ網に接続し携帯電話を利用した販売システムが徐々に増えてきている。その一例として、利用者は運営する事業者サイトで会員登録し、店舗で商品を購入する際にサイトに接続してバーコードの配信を受け、レジで携帯電話を提示し、ＰＯＳ（Ｐｏｉｎｔ  ｏｆ  Ｓａｌｅｓ）システムで読み取ってポイント点数を加算するポイントサービスがある。
【０００３】
また、自動販売機で飲料水あるいは割引券等を現金で購入する毎に携帯電話にポイント点数が加算されて二次元バーコードに変換され、あるポイント点数以上になると携帯電話で加算した二次元バーコードを自販機についているバーコード読み取り装置で読み込み、無料で飲料水あるいは割引券等を購入することが可能な商品購入システムがある。
【０００４】
販売会社から値段を表示したバーコードを携帯電話契約者に送信し、契約者は受信し、バーコード決済店舗で該バーコードに表示されている値段を決済する方法が開示されている（特許文献１）。
【０００５】
また、ネットワークを介して、注文者が希望する受領場所の販売店検索情報を入手し配達の可否を検索し、最寄りの販売店に受領場所を転送し、最寄りの販売店はユーザに確認し商品の配達を行う方法が開示されている（特許文献２）。
【０００６】
【特許文献１】
特開２００１―２０２４２９号公報
【特許文献２】
特開２００１―３１９１０７号公報
【０００７】
【発明が解決しようとする課題】
上述した従来のシステムでは、定期購入している購読誌、飲料品等の商品を出張先等で任意の店舗からリアルタイムに無料で購入することはできなかった。
【０００８】
本発明の目的は、自宅で定期購入している購読誌、飲料品等の商品を任意の店舗からリアルタイムに無料で購入することが可能である商品定期購入システムを提供することである。
【０００９】
【課題を解決するための手段】
本発明の商品定期購入システムは、配達事業者により設置、運営され、利用者に定期的に配達する商品の配達先を管理する配達先管理システムと、商品を定期的に購入する利用者が使用する利用者システムと、商品を販売する店舗のシステムである販売店舗システムを有している。
【００１０】
利用者は、出張等で自宅を留守する場合、定期購入の新聞等購読誌、牛乳など飲料品などの商品の配達変更指定日時と二次元バーコード交付の送信先を設定し、自宅の利用者システムの情報通信端末あるいは携帯電話で、配達先管理システムの配達変更サーバに二次元バーコード交付要求を送信する。配達先管理システムの配達変更サーバは、配達情報ＤＢから該利用者の配達情報を削除し、二次元バーコードを生成して利用者の携帯電話等二次元バーコード交付送信先に送信する。利用者は、外出先の任意の店舗で二次元バーコードを提示すると、該店舗の販売店舗システムは二次元バーコード読み取り装置で二次元バーコードを読み込み、利用者ＩＤを取得してＩＰ網を経由し配達変更サーバで該ＩＤを確認し、該ＩＤを利用不可に変更する。
【００１１】
これにより、利用者は任意の店舗から自宅で定期購入している商品をリアルタイムに無料で購入することができる。
【００１２】
【発明の実施の形態】
次に、本発明の実施の形態について図面を参照して説明する。
【００１３】
図１を参照すると、本発明の一実施形態の商品定期購入システムは、配達先管理システム１と、利用者システム２と、販売店舗３の販売店舗システム４と、これらを互いに接続するＩＰ網５で構成されている。
【００１４】
配達先管理システム１は、図２に示すように、顧客情報ＤＢ１１と配達情報ＤＢ１２と削除情報ＤＢ１３と配達変更サーバ１４と二次元バーコード生成部１５と二次元バーコード送信部１６と配達変更サーバ機能制御部１７とから構成されている。
【００１５】
顧客情報ＤＢ１１には本商品定期購入システムの利用者の利用者ＩＤ、パスワード、顧客の登録リスト等の顧客情報が格納されている。配達情報ＤＢ１２には利用者に配達する商品（商品名、個数）、配達日時等の情報が格納されている。削除情報ＤＢ１３には配達情報ＤＢ１３から削除された配達情報（利用者ＩＤ、配達を削除した日付、商品情報）が格納される。配達変更サーバ１４は、利用者が自宅を留守にすることで、定期購入商品の配達変更指定日時情報と二次元バーコードの送信先からなる変更情報が利用者情報（利用者ＩＤとパスワード）とともに利用者システム２から送信されてくると、顧客情報ＤＢ１１の情報を元に利用者ＩＤ、パスワードを確認し、配達情報ＤＢ１２から指定された日付の配達情報を削除し、削除した情報（削除情報）を削除情報ＤＢ１３に格納する。二次元バーコード生成部１５は削除情報（利用者ＩＤ）に１対１に対応した二次元バーコードを生成する。二次元バーコード送信部１６は生成された二次元バーコードを、利用者の二次元バーコード送信先に送信する。配達変更サーバ機能制御部１７は削除した利用者ＩＤを公開（通知）する。
【００１６】
利用者システム２は、図３に示すように、携帯電話２１とＰＤＡ（Ｐｅｒｓｏｎａｌ  Ｄｉｇｉｔａｌ  Ａｓｓｉｓｔａｎｔｓ）２２からなる携帯型二次元バーコード取得装置２３と、情報通信端末２４から構成されている。利用者は、自宅を留守する場合に、自宅で定期購入をしている新聞、雑誌等の購読誌、あるいは牛乳、ジュース等の飲料品などの商品の配達の必要がない変更指定日の変更情報と二次元バーコードの要求を利用者の携帯電話２１または情報通信端末２４の携帯型二次元バーコード取得装置２３で配達事業者６の配達先管理システム１の配達変更サーバ１４に送信し、配達事業者６から二次元バーコードを携帯型二次元バーコード取得装置２３で受信、取得する。
【００１７】
販売店舗システム４は、図４に示すように、情報通信端末３１と削除管理ＤＢ３２と二次元バーコード読み取り装置３３とサーバ機能制御部３４、３５から構成されている。利用者が定期購入をしている新聞、雑誌等の購読誌、あるいは牛乳、ジュース等の飲料品などの商品を販売店舗３で入手する場合に、携帯電話２１に交付されている二次元バーコードを提示する。二次元バーコードは販売店舗システム４の二次元バーコード読み取り装置３３で読み込み、利用者ＩＤを取得してＩＰ網５を経由し配達変更サーバ１４に接続し、利用者ＩＤの有無を確認する。該ＩＤが存在して利用可である場合に配達変更サーバ１４に登録されている利用者ＩＤを抽出し、サーバ機能制御部３４で利用者ＩＤを検索、取得し、利用者ＩＤの属性を利用不可へ変更し、削除情報ＤＢ１３に登録されている配達情報をサーバ機能制御部３５で情報通信端末３１の削除管理ＤＢ３２に書き込んで保存する。
【００１８】
次に、本実施形態の動作を説明する。
【００１９】
利用者は、自宅で定期購入をしている新聞、雑誌等の購読誌、あるいは牛乳、ジュース等の飲料品などの商品を出張等で使用したい場合に、利用者の携帯電話２１あるいは情報通信端末２４で配達事業者の配達先管理システム１の配達変更サーバ１４に自宅配達しない変更指定日の配達変更情報を送信する（▲１▼）。
【００２０】
配達変更サーバ１４は、顧客情報ＤＢ１１から利用者ＩＤとパスワードを確認し、配達情報ＤＢ１２から指定された日付の配達情報を削除し、削除情報ＤＢ１３に削除した配達情報を記録する（▲２▼）。次に、二次元バーコード生成部１５が削除情報ＤＢ１３に記録した利用者ＩＤと１対１に対応する二次元バーコードを生成し、二次元バーコード送信部１６により利用者の携帯電話２１にＩＰ網５を経由し送信する（▲３▼）。
【００２１】
利用者は、出張先等で任意の販売店舗３から削除した日付の新聞等定期購読商品を購入する場合には、携帯電話２１に交付されている二次元バーコードを利用し、販売店舗３にある販売店舗システム４の二次元バーコード読み取り装置３３でバーコードを読み込む。販売店舗システム４のサーバ機能制御部３４は、利用者ＩＤを取得してＩＰ網５を経由し配達変更サーバ１４に接続し、利用者ＩＤの有無を確認し、利用者ＩＤが存在して利用可である場合は、配達変更サーバ１４に登録されている利用者ＩＤを抽出し、利用者ＩＤを検索、取得し、利用者ＩＤの属性を利用不可へ変更し（▲４▼）、サーバ機能制御部３５で削除情報ＤＢ１３に登録されている配達情報を情報通信端末３１の削除管理ＤＢ３２に書き込んで保存する（▲５▼）。販売店舗３は、削除情報ＤＢ３２に蓄積された情報から例えば一ヶ月分の販売代金を計算し、配達事業者６に商品代金として請求し集金する。
【００２２】
このように、販売店舗３は、利用者に削除した日付の新聞あるいは雑誌あるいは牛乳等定期購入商品を無料で提供することが可能であり、利用者は定期購入をしている商品を外出先等で任意に販売店舗３２でリアルタイムに無料で受領することが可能である。
【００２３】
図５により、利用者が同一の二次元バーコードを複数回利用不可能なことを説明する。ＩＰ網５に接続する配達変更サーバ１４を利用する場合、利用者は、削除した日付の新聞、雑誌、牛乳等定期購入商品を販売店舗３で無料購入し、再び他の販売店舗７で無料購入しようと販売店舗３で使用済み二次元バーコードを提示する。二次元バーコード読み取り装置３３は二次元バーコードを読み込み、利用者ＩＤを取得し、情報通信端末３１で配達変更サーバ１４に接続し、利用者ＩＤの有無を確認する。この場合一度使用しているために利用者ＩＤが存在せず、または利用者ＩＤが存在しても属性が利用不可になっているために使用済みが発覚し、販売店舗７は新聞、雑誌、牛乳等定期購入商品を利用者に提供することが不可能である。
【００２４】
販売店舗７がＰ２Ｐ型ＳＩＯＮｅｔ（意味情報ネットワーク：Ｓｅｍａｎｔｉｃ  Ｉｎｆｏｒｍａｔｉｏｎ−Ｏｒｉｅｎｔｅｄ  Ｎｅｔｗｏｒｋ）８を利用する場合は、販売店舗３は利用者に商品を渡した後、ＳＩＯＮｅｔフィルタを設定し、ＳＩＯＮｅｔ８にディスカバリーする。利用者が販売店舗７において販売店舗３で使用済み二次元バーコードを提示すると、フィルタは発火し、販売店舗３で使用済みの削除情報が検索されて使用済みが発覚し、商品を利用者に渡すことができない。かつ、販売店舗７は、削除情報ＤＢ１３へ登録されている管理情報にマッチするイベントを受け取った場合は、既に使用された情報をイベント送信元の販売店舗システム４に通知をする。なお、ＳＩＯＮｅｔについては特開２００２−２５９６３１等に開示されている。
【００２５】
このように、ＳＩＯＮｅｔ８を利用する場合、利用者は新聞、雑誌、牛乳等定期購入商品を再度無料で入手することが不可能である。
【００２６】
図６は、Ｐ２Ｐ型のＳＩＯＮｅｔ８を利用する商品の定期購入システムを示す図でる。
【００２７】
利用者システム２から配達事業者６の配達先管理システム１に接続し、新聞、雑誌、牛乳等商品の定期購入の配達変更日時と二次元バーコード送信先を設定する（▲１▼）。配達先管理システム１は、配達情報ＤＢ１２から情報を削除し、削除情報ＤＢ１３に記録し（▲２▼）、削除情報ＤＢ１３へ記録した利用者ＩＤと１対１に対応する二次元バーコードを利用者が指定した二次元バーコード先に送信し（▲３▼）、ＳＩＯＮｅｔ８のフィルタとして利用者ＩＤを登録する（▲４▼）。利用者システム２は配達事業者６からの二次元バーコードを受け取る（▲５▼）。利用者自宅には指定された日付に商品が配達されないで、利用者は出張先等の販売店舗３で二次元バーコードを提示し、販売店舗３の販売店舗システム４は、二次元バーコード読み取り装置３３で二次元バーコードを読み込み、利用者ＩＤを取得する（▲６▼）。情報通信端末３１はＳＩＯＮｅｔ８でイベントを送信し（▲７▼）、意味情報として利用者ＩＤを指定する。合致した利用者ＩＤが発見された場合に削除情報ＤＢ１３に登録されている商品の配達情報を受信し（▲８▼）、情報通信端末３１の削除管理ＤＢ３２に書き込み、保存をする。配達先管理システム１は削除情報ＤＢ１３から削除情報を削除し、対応するＳＩＯＮｅｔ８のフィルタも削除する。販売店舗３の販売店舗システム４は、ＳＩＯＮｅｔフィルタとして利用者ＩＤの登録をする。販売店舗３は、配達変更した定期購入の商品を利用者に無料で提供することが可能である。
【００２８】
利用者の配達変更日付を毎日０時等で変更した場合は、配達先管理システム１と販売店舗システム４は、昨日の日付で登録されていたフィルタ情報を削除する。また、販売店舗３は、利用者が二次元バーコードで購入した商品の代金を配達事業者６から一ヶ月纏めて請求し集金をする。
【００２９】
【発明の効果】
以上説明したように、本発明は下記の効果がある。
【００３０】
・利用者は、定期購入している新聞、雑誌等の購読誌あるいは牛乳等の飲料品等の商品を配達事業者の配達変更サーバに配達変更日付情報を登録することにより、出張先等の外出先で携帯電話の二次元バーコードを利用して二次元バーコードで定期購入をしている新聞等購読誌あるいは飲料品等商品を任意の販売店舗でリアルタイムに無料で購入することが可能であり、利用者は無駄な出費をする必要がない。
【００３１】
・販売店舗で購入する新聞等購読誌あるいは飲料品等商品の代金は、毎月の定期購入している代金に含まれているため、購入する販売店舗に払う必要がないので利用者は手間がかからなくて済む。
【００３２】
・利用者が出張や外出等が多いために新聞など購読誌あるいは飲料品等商品の定期購入をためらっていた場合に、出張先等で任意の販売店舗から無料でリアルタイムに購入が可能である利便性により、利用者は商品の定期購入を契約するため、配達事業者は収益を得ることが可能である。
【００３３】
・外出先の販売店舗で新聞等購読誌あるいは飲料品等商品の定期購入をするため、配達事業者は無駄な時間と浪費を使わないで済む。
【図面の簡単な説明】
【図１】本発明の一実施形態の商品定期購入システムの構成図である。
【図２】配達先管理システムの構成図である。
【図３】利用者システムの構成図である。
【図４】販売店舗システムの構成図である。
【図５】同一の二次元バーコードで複数使用が不可能なことを示す図である。
【図６】Ｐ２Ｐ型のＳＩＯＮｅｔを利用する商品定期購入システムを示す図である。
【符号の説明】
１    配達先管理システム
２    利用者システム
３、７    販売店舗
４    販売店舗システム
５    ＩＰ網
６    配達事業者
８    ＳＩＯＮｅｔ
１１    顧客情報ＤＢ
１２    配達情報ＤＢ
１３    削除情報ＤＢ
１４    配達変更サーバ
１５    二次元バーコード生成部
１６    二次元バーコード送信部
１７    配達変更サーバ機能制御部
２１    携帯電話
２２    ＰＤＡ
２３    携帯型二次元バーコード取得装置
２４    情報通信端末
３１    情報通信端末
３２    削除管理ＤＢ
３３    二次元バーコード読み取り装置
３４、３５    サーバ機能制御部
【図１】
2004310590.tif 000003
【図２】
2004310590.tif 000004
【図３】
2004310590.tif 000005
【図４】
2004310590.tif 000006
【図５】
2004310590.tif 000007
【図６】
2004310590.tif 000008